(57)【要約】【課題】  操作性に影響を与えることなく、製品仕様の異なる複数のレンズ鏡胴でカム筒を共通に利用する。【解決手段】  光軸方向に対して斜めに傾いたカム溝が形成されたカム筒と、光軸方向の直進溝が形成された直進筒とが同心円上に配置されると共に、レンズ保持枠に設けられたカムピンがカム溝及び直進溝に係合されカム筒又は直進筒が回動されると、レンズ保持枠がカム溝に従動して光軸方向に移動されるレンズ鏡胴であって、カム筒には傾きの異なる少なくとも２つの第１のカム溝及び第２のカム溝が形成され、第１のレンズ鏡胴で前記カム筒を使用する場合には前記第１のカム溝に前記カムピンが係合され、前記第１のレンズ鏡胴とは別の第２のレンズ鏡胴で前記カム筒を使用する場合には前記第２のカム溝に前記カムピンが係合されるレンズ鏡胴を提供することにより、前記課題を解決する。【選択図】  図３
2006276731.tif 000002
【特許請求の範囲】
【請求項１】
光軸方向に対して斜めに傾いたカム溝が形成されたカム筒と、光軸方向の直進溝が形成された直進筒とが同心円上に配置されると共に、レンズ保持枠に設けられたカムピンが前記カム溝及び前記直進溝に係合され、前記カム筒又は前記直進筒が回動されると、前記レンズ保持枠がカム溝に従動して光軸方向に移動されるレンズ鏡胴であって、
前記カム筒には、傾きの異なる少なくとも２つの第１のカム溝及び第２のカム溝が形成され、
第１のレンズ鏡胴で前記カム筒を使用する場合には前記第１のカム溝に前記カムピンが係合され、前記第１のレンズ鏡胴とは別の第２のレンズ鏡胴で前記カム筒を使用する場合には前記第２のカム溝に前記カムピンが係合されることを特徴とするレンズ鏡胴。
【発明の詳細な説明】
【技術分野】
【０００１】
本発明はレンズ鏡胴に係り、特にカム溝が形成されたカム筒と直進溝が形成された直進筒とが同心円上に配置されると共に、レンズ保持枠に設けられたカムピンが前記カム溝及び直進溝に係合され、前記カム筒又は直進筒が回動されると、前記レンズ保持枠がカム溝に従動して移動されるレンズ鏡胴に関する。
【背景技術】
【０００２】
従来より、フォーカスレンズやズームレンズ等のレンズがカム機構やヘリコイドねじを利用して光軸方向に移動されるレンズ鏡胴が知られている（例えば、特許文献１参照）。
【０００３】
例えば、レンズを保持したレンズ保持枠は、光軸方向の直進溝が形成された直進筒内に配置され、直進筒の外側には、光軸方向に対して斜めに傾いたカム溝が形成されたカム筒が配置される。これらの直進筒とカム筒とはいずれか一方が他方に対して回動自在に配置されると共に、レンズ保持枠には直進溝を貫通してカム溝に係合するカムピンが設けられており、モータや操作リング等によってカム筒又は直進筒が回動されると、カムピンがカム溝に従動してレンズ保持枠が光軸方向に移動されるようになっている。
【特許文献１】特開平８−６９０４１号公報
【発明の開示】
【発明が解決しようとする課題】
【０００４】
ところで、このようなレンズ鏡胴では、カム筒又は直進筒の回動量に対するレンズの移動量（繰り出し量）が機種毎に製品仕様として定められており、そのレンズの繰り出し量はカム筒のカム溝の傾きによって決まる。そのため製品仕様が異なるレンズ鏡胴でカム筒を共通に利用することはできない。カム筒を共通に利用するとレンズの繰り出し量が製品仕様と異なってしまい、ピント調整やズーミング等の操作性に不具合が生じてしまうからである。このように従来のレンズ鏡胴では、製品仕様が異なる機種毎にカム筒を生産しなければならず、材料費や加工費が高くなるという欠点があった。
【０００５】
本発明はこのような事情に鑑みてなされたもので、操作性に影響を与えることなく、製品仕様の異なる複数のレンズ鏡胴でカム筒を共通に利用することができるレンズ鏡胴を提供することを目的とする。
【課題を解決するための手段】
【０００６】
前記目的を達成するために、請求項１に記載の発明は、光軸方向に対して斜めに傾いたカム溝が形成されたカム筒と、光軸方向の直進溝が形成された直進筒とが同心円上に配置されると共に、レンズ保持枠に設けられたカムピンが前記カム溝及び前記直進溝に係合され、前記カム筒又は前記直進筒が回動されると、前記レンズ保持枠がカム溝に従動して光軸方向に移動されるレンズ鏡胴であって、前記カム筒には、傾きの異なる少なくとも２つの第１のカム溝及び第２のカム溝が形成され、第１のレンズ鏡胴で前記カム筒を使用する場合には前記第１のカム溝に前記カムピンが係合され、前記第１のレンズ鏡胴とは別の第２のレンズ鏡胴で前記カム筒を使用する場合には前記第２のカム溝に前記カムピンが係合されることを特徴とする。
【０００７】
本発明によれば、カム筒又は直進筒の回動量に対するレンズの光軸方向の移動量（繰り出し量）が製品仕様上異なる複数のレンズ鏡胴でカム筒を共通に使用することができ、レンズ鏡胴の材料費や加工費が安価になるとともに、製品仕様通りの操作性を確保することができる。
【発明の効果】
【０００８】
本発明によれば、カム筒又は直進筒の回動量に対するレンズの光軸方向の移動量（繰り出し量）が製品仕様上異なる複数のレンズ鏡胴でカム筒を共通に使用することができ、レンズ鏡胴の材料費や加工費が安価になるとともに、製品仕様通りの操作性を確保することができる。
【発明を実施するための最良の形態】
【０００９】
以下添付図面に従って本発明に係るレンズ鏡胴の好ましい実施の形態について詳説する。
【００１０】
図１は本発明の一実施の形態が適用されたレンズ鏡胴の断面図である。同図に示すように、レンズ鏡胴１０の鏡胴本体１２内には、光軸方向の前端側（図１で左側）から順に、光軸方向に沿ってフォーカスレンズ１４、及びズームレンズ１６が配置され、鏡胴本体１２の後方外側に筒状の固定枠２８が設けられる。
【００１１】
フォーカスレンズ１４は、筒状のレンズ保持枠１８内に保持され、レンズ保持枠１８の外周面には、放射方向に延びる３本のカムピン２０、２０、２０が突設される（１本のみ図示）。これらのカムピン２０は、鏡胴本体１２の前方側の周面に貫通形成された光軸方向に延びる直進溝１２Ａに挿通される。
【００１２】
鏡胴本体１２の前方外側には、フォーカスリング（カム筒）２４が鏡胴本体１２に対して回動自在に配設される。フォーカスリング２４の内周面には、光軸方向に対して斜めに傾いた３つのカム溝２４Ａ、２４Ａ、２４Ａ（１つのみ図示）が形成され、このカム溝２４Ａに上記カムピン２０の先端が嵌入される。尚、後で詳説するが、フォーカスリング２４の内周面には、前記カム溝２４Ａと異なる傾きのカム溝（図１中不図示）がさらに形成されている。フォーカスリング２４の後端外側にはフォーカスレバー２６が設けられており、このフォーカスレバー２６は、固定枠２８の貫通孔を貫通して外部に突出される。尚、固定枠２８は、鏡胴本体１２の垂直部１２Ｂの後端側にねじ３０で固定されている。フォーカスレバー２６が回動操作されると、鏡胴本体１２に対して回動自在に構成されたフォーカスリング２４が回動する。このとき、レンズ保持枠１８のカムピン２０は鏡胴本体１２の直進溝１２Ａに係合されているので、レンズ保持枠１８はこの直進溝１２Ａによって回動が規制された状態で、フォーカスリング２４の回動にあわせてカムピン２０がカム溝２４Ａに従動して、レンズ保持枠１８が光軸方向に移動する。
【００１３】
また、フォーカスリング２４の略中央部の周面には、貫通形成された周方向の長溝２４Ｂが形成されており、この長溝２４Ｂを介して規制ねじ３２が鏡胴本体１２に取付固定されている。これにより、フォーカスリング２４の回動範囲は長溝２４Ｂの長さに相当する範囲に規制されている。また、フォーカスリング２４の後端の内周面には、数カ所に凸部２４Ｃが一体形成され、これらの凸部２４Ｃは、鏡胴本体１２の略中央の外周面に形成された周方向の溝１２Ｃに係合される。従って、フォーカスリング２４は、鏡胴本体１２に対して回動自在に軸方向の所定位置に支持される。また、鏡胴本体１２に対するフォーカスリング２４の光軸方向へのガタを防止するためにフォーカスリング２４の前端と鏡胴本体１２の鍔１２Ｄの間に波板バネ３４が配設される。これにより、フォーカスリング２４は後方に付勢され、フォーカスリング２４の凸部２４Ｃが鏡胴本体１２の溝１２Ｃの後方面に片寄せされ、フォーカスリング２４のガタが防止される。また、フォーカスリング２４は波板バネ３４の弾性力の強さにより回動トルクを調整することができる。
【００１４】
ズームレンズ１６は、レンズ保持枠３６内に保持され、レンズ保持枠３６の外周面には、放射方向に延びる３本のカムピン３８、３８、３８が突設される（１本のみ図示）。これらのカムピン３８は、鏡胴本体１２の後方側の内周面に貫通形成された光軸方向に延びる直進溝１２Ｅに挿通される。
【００１５】
鏡胴本体１２の後方外側には、ズームリング（カム筒）４０が鏡胴本体１２に対して回動自在に配設される。ズームリング４０の内周面には、光軸方向に対して斜めに傾いた３つのカム溝４０Ａ、４０Ａ、４０Ａが形成され、このカム溝４０Ａに上記カムピン３８の先端が嵌入される。尚、後で詳説するが、ズームリング４０の内周面には、前記カム溝４０Ａと異なる傾きのカム溝（図１中不図示）がさらに形成されている。
【００１６】
ズームリング４０の前方外側には、断面かぎ状の凸部４０Ｂが一体形成されている。凸部４０Ｂの先端には、ズームレバー４２が設けられており、このズームレバー４２は、固定枠２８の貫通孔を貫通して外部に突出される。ズームレバー４２が回動操作されると、鏡胴本体１２に対して回動自在に構成されたズームリング４０が回動する。このとき、レンズ保持枠３６のカムピン３８は鏡胴本体１２の直進溝１２Ｅに係合されているので、レンズ保持枠３６はこの直進溝１２Ｅによって回動が規制された状態で、ズームリング４０の回動にあわせてカムピン３８がカム溝４０Ａに従動して、レンズ保持枠３６が光軸方向に移動する。
【００１７】
また、ズームリング４０の後端内周面には、数箇所に凸部４０Ｃが一体形成され、この凸部４０Ｃは、鏡胴本体１２の後端外周面に形成された周方向の溝１２Ｆに係合される。また、ズームリング４０の前端側の鍔４０Ｄと鏡胴本体１２の垂直部１２Ｂとの間には波板バネ４４が配設される。これにより、ズームリング４０は後方に付勢され、ズームリング４０の凸部４０Ｃが鏡胴本体１２の溝１２Ｆの後方面に片寄せされ、ズームリング４０のガタが防止される。また、ズームリング４０は波板バネ４４の弾性力の強さにより回動トルクを調整することができる。
【００１８】
尚、レンズ鏡胴１０を図示しないカメラ本体に固定するために、固定枠２８の後端にマウント環４６がねじ４８で固定されている。また、フォーカスレンズ１４とズームレンズ１６との間にはアイリス（絞り）５０が配設されており、このアイリス５０は、アイリスモータ５２によって駆動される。アイリス５０は、鏡胴本体１２の垂直部１２Ｂの前端側にねじ５６で固定されている。
【００１９】
次に、カム筒（フォーカスリング２４、ズームリング４０）の構成を説明する。尚、これらの構成は共通するので、以下では、これらを代表してカム筒６０の説明を行う。
【００２０】
図２は、カム筒６０の一の実施形態を表した外観斜視図であり、図３は、図２に示したカム筒６０の展開図である。また、図４は、カム筒６０の他の実施形態を表した外観斜視図である。尚、これらの図では、説明の便宜上、カム筒６０を簡略表示している。
【００２１】
図２及び図３に示すように、カム筒６０の内周面には、光軸方向に対して斜めに傾いた３つの第１のカム溝６２、６２、６２、及び、３つの第２のカム溝６４、６４、６４とがそれぞれ交互に周方向に等間隔で形成されている。各カム溝６２、６４はそれぞれ一方が開放されており、そこから図１に示したレンズ保持枠１８（又は３６）のカムピン２０（又は３８）の先端が嵌入されるようになっている。
【００２２】
第１のカム溝６２と第２のカム溝６４は異なる角度に傾けられており、それぞれの傾きは、カム筒６０の回動量に対するレンズの繰り出し量が製品仕様上異なる２種類のレンズ鏡胴１０に対応している。即ち、一方のレンズ鏡胴１０でこのカム筒６０を使用する場合には第１のカム溝６２にレンズ保持枠１８（又は３６）のカムピン２０（又は３８）の先端が嵌入され、他方のレンズ鏡胴１０で使用する場合には第２のカム溝６４にレンズ保持枠１８（又は３６）のカムピン２０（又は３８）の先端が嵌入される。そして、各レンズ鏡胴１０におけるカム筒６０の回動量に対するレンズの繰り出し量は、レンズ保持枠１８（又は３６）のカムピン２０（又は３８）の先端が嵌入されるカム溝の傾きに応じた量となる。従って、製品仕様が異なる２種類のレンズ鏡胴１０でカム筒６０（フォーカスリング２４、ズームリング４０）を共通に利用することができる。
【００２３】
またカム筒６０に形成されるカム溝６２、６４は、図２及び図３に示したように有底のものに限られず、図４に示すように、カム筒６０の周面に貫通形成された貫通孔を第１のカム溝６２、第２のカム溝６４としてもよい。
【００２４】
以上の如く構成されたレンズ鏡胴の作用について説明する。
【００２５】
フォーカスレバー２６が回動操作されると、鏡胴本体１２に対して回動自在に配設されたフォーカスリング２４が回動される。このときフォーカスリング２４のカム溝２４Ａには、鏡胴本体１２の直進溝１２Ａを介して、レンズ保持枠１８のカムピン２０が係合しているため、レンズ保持枠１８は、直進溝１２Ａによって回動が規制された状態でフォーカスリング２４の回動に従動して光軸方向に移動される。このようにしてレンズ保持枠１８に保持されるフォーカスレンズ１４が光軸方向に繰り出され、ピント調整が行われる。
【００２６】
また、ズームレバー４２が回動操作されると、鏡胴本体１２に対して回動自在に配設されたズームリング４０が回動される。このときズームリング４０のカム溝４０Ａには、鏡胴本体１２の直進溝１２Ｅを介して、レンズ保持枠３６のカムピン３８が係合しているため、レンズ保持枠３６は、直進溝１２Ｅによって回動が規制された状態でズームリング４０の回動に従動して光軸方向に移動される。このようにしてレンズ保持枠３６に保持されるズームレンズ１６が光軸方向に繰り出され、ズーミングが行われる。
【００２７】
また、フォーカスリング２４（又はズームリング４０）を他のレンズ鏡胴１０で使用する場合には、レンズ保持枠１８（又は３６）のカムピン２０（又は３８）の先端が嵌入されているカム溝２４Ａ（又は４０Ａ）とは異なる傾きのカム溝に、他のレンズ鏡胴１０のレンズ保持枠１８（又は３６）のカムピン２０（又は３８）の先端を嵌入する。そして、この状態でフォーカスレバー２６（又はズームレバー４２）が操作されると、フォーカスリング２４（又はズームリング４０）が回動され、他のレンズ鏡胴１０の製品仕様通りの繰り出し量でフォーカスレンズ１４（又はズームレンズ１６）が光軸方向に移動され、ピント調整（又はズーミング）が行われる。
【００２８】
このようにフォーカスリング２４やズームリング４０の回動量に対するフォーカスレンズ１４、ズームレンズ１６の光軸方向の移動量（繰り出し量）が製品仕様上異なる２種類のレンズ鏡胴１０でフォーカスリング２４やズームリング４０を共通に利用することができ、レンズ鏡胴１０の材料費や加工費が安価になるとともに、製品仕様通りの操作性を確保することができる。
【００２９】
尚、上記実施の形態では、カム筒６０（フォーカスリング２４やズームリング４０）に２種類のカム溝６２、６４を設ける構成を例示したが、これに限定されず、３種類以上のカム溝を設けて、製品仕様が異なる３種類以上のレンズ鏡胴１０でカム筒６０を共通に利用するようにしてもよい。
【００３０】
また、上記実施の形態では、鏡胴本体１２に直進溝１２Ａ、１２Ｅを設け、フォーカスリング２４及びズームリング４０にカム溝２４Ａ、４０Ａを設けた構成を例示したが、これに限定されず、例えば、鏡胴本体１２にカム溝を設け、フォーカスリング２４及びズームリング４０に直進溝を設けてもよい。
【００３１】
また、上記実施の形態では、鏡胴本体１２の外側にフォーカスリング２４やズームリング４０が配置される構成を例示したが、これに限定されず、例えば、フォーカスリング２４やズームリング４０の外側に鏡胴本体１２が配置される構成でもよい。
【００３２】
また、上記実施の形態では、フォーカスリング２４とズームリング４０の両方にそれぞれ異なる傾きのカム溝を形成する構成を例示したが、これに限定されず、フォーカスリング２４とズームリング４０のいずれか一方であってもよい。
【図面の簡単な説明】
【００３３】
【図１】本発明に係るレンズ鏡胴の実施の形態を示した構成図である。
【図２】カム筒の一の実施形態を表した外観斜視図である。
【図３】図２に示したカム筒の展開図である。
【図４】カム筒の他の実施形態を表した外観斜視図である
【符号の説明】
【００３４】
１０…レンズ鏡胴、１２…鏡胴本体、１２Ａ、１２Ｅ…直進溝、１４…フォーカスレンズ、１６…ズームレンズ、１８…レンズ保持枠、２０…カムピン、２４…フォーカスリング、２４Ａ…カム溝、２６…フォーカスレバー、２８…固定枠、３６…レンズ保持枠、３８…カムピン、４０…ズームリング、４０Ａ…カム溝、４２…ズームレバー、６０…カム筒、６２…第１のカム溝、６４…第２のカム溝
【図１】
2006276731.tif 000003
【図２】
2006276731.tif 000004
【図３】
2006276731.tif 000005
【図４】
2006276731.tif 000006